(57)【要約】【課題】被検体の鼻および口を覆うように装着したガス吸入マスクに繋がるガス管をヘッドコイルから外部へと導出しやすい構造としたＭＲ用ヘッドコイルを提供する。【解決手段】ガス吸入マスク６はヘッドコイル１の内側に在り、ガス吸入マスク６に繋がるガス管７はヘッドコイル１の壁面に穿設されたガス管挿通孔４を通じて外側に導出され、図示せぬ希ガス・ポーラライザ装置へと繋がっている。【効果】コイル全長が長くなった二重同調コイルでもガス管７をヘッドコイル１から導出しやすくなる。被検体の顔側のヘッドコイルの壁面を顔に近づけることが出来る。【選択図】図１
2006034310.tif 000002
【特許請求の範囲】
【請求項１】
被検体の少なくとも鼻孔部を覆うガス吸入マスクに繋がるガス管を、壁面の一部と交差させて外部へ導出可能にしたことを特徴とするＭＲ用ヘッドコイル。
【請求項２】
請求項１に記載のＭＲ用ヘッドコイルにおいて、前記壁面に挿通孔を穿設し、該挿通孔に前記ガス管を挿通したことを特徴とするＭＲ用ヘッドコイル。
【請求項３】
請求項１または請求項２に記載のＭＲ用ヘッドコイルにおいて、前記ガス管が交差する壁面部分を、外側へ膨出させた形状にしたことを特徴とするＭＲ用ヘッドコイル。
【請求項４】
請求項１から請求項３のいずれかに記載のＭＲ用ヘッドコイルにおいて、前記ガス管が交差する壁面部分が、他の部分から取り外し可能であることを特徴とするＭＲ用ヘッドコイル。
【請求項５】
請求項１から請求項３のいずれかに記載のＭＲ用ヘッドコイルにおいて、前記ガス管が交差する壁面部分が、ヒンジにより開閉可能になっていることを特徴とするＭＲ用ヘッドコイル。
【請求項６】
請求項１から請求項５のいずれかに記載のＭＲ用ヘッドコイルにおいて、前記ガス管は、前記ガス管が交差する壁面部分に固定されていないことを特徴とするＭＲ用ヘッドコイル。
【請求項７】
請求項６に記載のＭＲ用ヘッドコイルにおいて、前記ガス管が交差する壁面部分に前記ガス管を固定するためのガス管固定手段を備えたことを特徴とするＭＲ用ヘッドコイル。
【請求項８】
請求項１から請求項７のいずれかに記載のＭＲ用ヘッドコイルにおいて、前記ガス吸入用マスクが、超偏極状態とした希ガスであることを特徴とするＭＲ用ヘッドコイル。
【発明の詳細な説明】
【技術分野】
【０００１】
本発明は、ＭＲ（Magnetic Resonance）用ヘッドコイルに関し、さらに詳しくは、被検体の少なくとも鼻孔部を覆うように装着したガス吸入マスクに繋がるガス管をヘッドコイルから外部へと導出しやすい構造としたＭＲ用ヘッドコイルに関する。
【背景技術】
【０００２】
従来、超偏極状態とした希ガスを被検体に吸入させて頭部のＭＲ撮影を行う場合、被検体の鼻および口を覆うようにガス吸入マスクを装着した後、被検体の頭部にヘッドコイルを被せ、ガス吸入マスクに繋がるガス管をヘッドコイルの開口から外部の希ガス・ポーラライザ装置へと導出している（例えば、特許文献１参照。）。
【０００３】
【特許文献１】特開２００４−１１３３１７号公報（図１）
【発明の開示】
【発明が解決しようとする課題】
【０００４】
超偏極状態とした希ガスを被検体に吸入させて頭部のＭＲ撮影を行う場合のヘッドコイルとしては、例えば目的核種用バードケージコイルの外側に比較やシミングに必要なプロトン画像を得るためのプロトン用バードケージコイルを配置した二重同調コイルを用いることが必須である。つまり、通常の単同調コイルに比べてコイル全長が長くなっている。しかし、コイル全長が長くなった二重同調コイルの開口からはガス管を導出しにくい問題点がある。
また、被検体の顔側のヘッドコイルの壁面がガス吸入マスクおよびガス管の高さだけ顔から離れるため、被検体の後頭部側のヘッドコイルの壁面を後頭部に密接させると、撮影対象部位である脳がコイル中心から後頭部側にずれてしまう問題点がある。なお、被検体の後頭部側のヘッドコイルの壁面を後頭部から離せば、撮影対象部位である脳をコイル中心に位置させ得るが、ＳＮ比の損失を招くという別の問題点が生じる。
そこで、本発明の目的は、被検体の少なくとも鼻孔部を覆うように装着したガス吸入マスクに繋がるガス管をヘッドコイルから外部へと導出しやすい構造としたＭＲ用ヘッドコイルを提供することにある。
【課題を解決するための手段】
【０００５】
第１の観点では、本発明は、被検体の少なくとも鼻孔部を覆うガス吸入マスクに繋がるガス管を、壁面の一部と交差させて外部へ導出可能にしたことを特徴とするＭＲ用ヘッドコイルを提供する。
上記第１の観点によるＭＲ用ヘッドコイルでは、被検体の少なくとも鼻孔部を覆うガス吸入マスクに繋がるガス管をヘッドコイルの壁面と平行に導出するのでなく、壁面の一部と交差させて外部へ導出可能な構造とした。このため、コイル全長が長くなった二重同調コイルでもガス管を導出しやすくなる。また、被検体の顔側のヘッドコイルの壁面を顔に近づけることが出来る。このため、被検体の後頭部側のヘッドコイルの壁面を後頭部に密接させても、撮影対象部位である脳がコイル中心から後頭部側にほとんどずれなくなる。
【０００６】
第２の観点では、本発明は、上記構成のＭＲ用ヘッドコイルにおいて、前記壁面に挿通孔を穿設し、該挿通孔に前記ガス管を挿通したことを特徴とするＭＲ用ヘッドコイルを提供する。
上記第２の観点によるＭＲ用ヘッドコイルでは、被検体の少なくとも鼻孔部を覆うガス吸入マスクに繋がるガス管をヘッドコイルの壁面と平行に導出するのでなく、挿通孔に挿通させて外部へ導出可能とした。このため、コイル全長が長くなった二重同調コイルでもガス管を導出しやすくなる。また、被検体の顔側のヘッドコイルの壁面を顔に近づけることが出来るため、被検体の後頭部側のヘッドコイルの壁面を後頭部に密接させても、撮影対象部位である脳がコイル中心から後頭部側にほとんどずれなくなる。
【０００７】
第３の観点では、本発明は、上記構成のＭＲ用ヘッドコイルにおいて、前記ガス管が交差する壁面部分を、外側へ膨出させた形状にしたことを特徴とするＭＲ用ヘッドコイルを提供する。
上記第３の観点によるＭＲ用ヘッドコイルでは、ガス管が交差する壁面部分を外側へ膨出させた形状にした。換言すれば、ガス管が交差する壁面部分以外の被検体の顔側のヘッドコイルの壁面を顔に近づけた構造とした。このため、被検体の後頭部側のヘッドコイルの壁面を後頭部に密接させても、撮影対象部位である脳がコイル中心から後頭部側にほとんどずれなくなる。
【０００８】
第４の観点では、本発明は、上記構成のＭＲ用ヘッドコイルにおいて、前記ガス管が交差する壁面部分が、他の部分から取り外し可能であることを特徴とするＭＲ用ヘッドコイルを提供する。
上記第４の観点によるＭＲ用ヘッドコイルでは、ガス管が交差する壁面部分を取り外した状態にすることで、ヘッドコイルを被検体の頭部に被せる作業が容易になる。
【０００９】
第５の観点では、本発明は、上記構成のＭＲ用ヘッドコイルにおいて、前記ガス管が交差する壁面部分が、ヒンジにより開閉可能になっていることを特徴とするＭＲ用ヘッドコイルを提供する。
上記第５の観点によるＭＲ用ヘッドコイルでは、ガス管が交差する壁面部分を開いた状態にすることで、ヘッドコイルを被検体の頭部に被せる作業が容易になる。
【００１０】
第６の観点では、本発明は、上記構成のＭＲ用ヘッドコイルにおいて、前記ガス管は、前記ガス管が交差する壁面部分に固定されていないことを特徴とするＭＲ用ヘッドコイルを提供する。
上記第６の観点によるＭＲ用ヘッドコイルでは、ガス管が交差する壁面部分にガス管が固定されていないため融通がきき、ヘッドコイルを被検体の頭部に被せる作業が容易になる。
【００１１】
第７の観点では、本発明は、上記構成のＭＲ用ヘッドコイルにおいて、前記ガス管が交差する壁面部分に前記ガス管を固定するためのガス管固定手段を備えたことを特徴とするＭＲ用ヘッドコイルを提供する。
上記第７の観点によるＭＲ用ヘッドコイルでは、ヘッドコイルを被検体の頭部に被せた後、ガス管が交差する壁面部分にガス管を固定することにより、間接的にガス吸入マスクを固定できる。
【００１２】
第８の観点では、本発明は、上記構成のＭＲ用ヘッドコイルにおいて、前記ガス吸入用マスクが、超偏極状態とした希ガスであることを特徴とするＭＲ用ヘッドコイルを提供する。
上記第８の観点によるＭＲ用ヘッドコイルでは、超偏極状態とした希ガスを被検体に吸入させて頭部のＭＲ撮影を好適に行うことが出来る。
【発明の効果】
【００１３】
本発明のＭＲ用ヘッドコイルによれば、被検体の少なくとも鼻孔部を覆うように装着したガス吸入マスクに繋がるガス管をヘッドコイルから外部へと導出しやすくなり、ヘッドコイルを被検体の頭部に被せる作業が容易になる。
【発明を実施するための最良の形態】
【００１４】
以下、図に示す実施の形態により本発明をさらに詳細に説明する。なお、これにより本発明が限定されるものではない。
【実施例１】
【００１５】
図１は、実施例１に係るＭＲ用ヘッドコイル１０を示す斜視図である。
このＭＲ用ヘッドコイル１０は、ヘッドコイル１と、ガス吸入マスク６とを具備してなる。
【００１６】
ヘッドコイル１は、円筒形状であり、被検体の頭部を入れるための開口２と、被検体の視野を確保するための窓３とを有している。
【００１７】
ガス吸入マスク６は、ヘッドコイル１の内側に在る。ガス吸入マスク６に繋がるガス管７は、ヘッドコイル１の壁面に穿設されたガス管挿通孔４を通じて外側に導出され、図示せぬ希ガス・ポーラライザ装置へと繋がっている。
【００１８】
ガス管固定具５は、ヘッドコイル１の壁面に、ガス管挿通孔４を取り巻くように設置されている。ガス管固定具５を締め付けることにより、ガス管７をヘッドコイル１に固定することが出来る。
【００１９】
図２に示すように、ヘッドコイル１は、目的核種用のバードケージコイル８の外側にプロトン用のバードケージコイル９を配置した二重同調コイルである。
【００２０】
図３に示すように、ガス管固定具５を緩めてガス管７をヘッドコイル１に固定しない状態にし、ガス吸入マスク６をヘッドコイル１から引き出し、ガス吸入マスク６を被検体Ｋの顎の下に挟む。次に、ガス管７をガス管挿通孔４から引っ張り出しながら、被検体Ｋの頭部にヘッドコイル１を被せる。
次に、図４に示すように、被検体Ｋの頭部をヘッドコイル１に収容した状態で、ガス吸入マスク６を被検体Ｋの鼻および口を覆うように載せる。
そして、ガス管固定具５を締め付けて、ガス管７をヘッドコイル１に固定する。これにより、被検体Ｋとヘッドコイル１とガス吸入マスク６とを一体化することが出来る。
【００２１】
実施例１のＭＲ用ヘッドコイル１０によれば、被検体Ｋの鼻および口を覆うガス吸入マスク６に繋がるガス管７をヘッドコイル１の壁面と平行に導出するのでなく、壁面の一部と交差させて外部へ導出可能であるため、コイル全長が長くなった二重同調コイルでもガス管７を導出しやすくなる。また、被検体Ｋの顔側のヘッドコイルの壁面を顔に近づけることが出来る。このため、被検体Ｋの後頭部側のヘッドコイルの壁面を後頭部に密接させても、撮影対象部位である脳がコイル中心から後頭部側にほとんどずれなくなる。
【実施例２】
【００２２】
図５は、実施例２に係るＭＲ用ヘッドコイル２０を示す斜視図である。
このＭＲ用ヘッドコイル２０は、ヘッドコイル１’と、ガス吸入マスク６とを具備してなる。
【００２３】
ヘッドコイル１’は、円筒形状であり、被検体の頭部を入れるための開口２と、被検体の視野を確保するための窓３と、壁面の一部を外側へ膨出させて作ったマスク退避スペース１ａとを有している。
【００２４】
ガス吸入マスク６は、ヘッドコイル１’の内側に在る。ガス吸入マスク６に繋がるガス管７は、マスク退避スペース１ａの頂部の壁面に穿設されたガス管挿通孔４を通じて外側に導出され、図示せぬ希ガス・ポーラライザ装置へと繋がっている。
【００２５】
ガス管固定具５は、ヘッドコイル１’の壁面に、ガス管挿通孔４を取り巻くように設置されている。ガス管固定具５を締め付けることにより、ガス管７をヘッドコイル１’に固定することが出来る。
【００２６】
ヘッドコイル１’は、実施例１と同様、目的核種用のバードケージコイル８の外側にプロトン用のバードケージコイル９を配置した二重同調コイルである。
【００２７】
図６に示すように、ガス管固定具５を緩めてガス管７をヘッドコイル１’に固定しない状態にし、ガス吸入マスク６をマスク退避スペース１ａに入れる。次に、被検体Ｋの頭部にヘッドコイル１を被せる。
次に、図７に示すように、ガス吸入マスク６を被検体Ｋの鼻および口を覆うように載せる。
そして、ガス管固定具５を締め付けて、ガス管７をヘッドコイル１’に固定する。これにより、被検体Ｋとヘッドコイル１’とガス吸入マスク６とを一体化することが出来る。
【実施例３】
【００２８】
図８は、実施例３に係るＭＲ用ヘッドコイル３０を示す斜視図である。
このＭＲ用ヘッドコイル３０は、ヘッドコイル１”と、ガス吸入マスク６とを具備してなる。
【００２９】
ヘッドコイル１”は、本体部１ｂと開閉部１ｃとからなり、全体として円筒形状であり、被検体の頭部を入れるための開口２と、被検体の視野を確保するための窓３とを有している。
【００３０】
ガス吸入マスク６は、ヘッドコイル１”の内側に在る。ガス吸入マスク６に繋がるガス管７は、ヘッドコイル１”の壁面に穿設されたガス管挿通孔４を通じて外側に導出され、図示せぬ希ガス・ポーラライザ装置へと繋がっている。
【００３１】
ガス管固定具５は、ヘッドコイル１”の壁面に、ガス管挿通孔４を取り巻くように設置されている。ガス管固定具５を締め付けることにより、ガス管７をヘッドコイル１”に固定することが出来る。
【００３２】
ヘッドコイル１”は、実施例１と同様、目的核種用のバードケージコイル８の外側にプロトン用のバードケージコイル９を配置した二重同調コイルである。但し、バードケージコイル８，９のエレメントの一部が、後述する開閉部１ｃの分離／結合と共に分離／結合できるようになっている。
【００３３】
図９に示すように、本体部１ｂから開閉部１ｃを分離する。
次に、図１０に示すように、被検体Ｋの頭部に本体部１ｂを被せる。次に、ガス管固定具５を緩めてガス管７を開閉部１ｃに固定しない状態にし、ガス吸入マスク６を引き出して被検体Ｋの鼻および口を覆うように載せる。
そして、図１１に示すように、本体部１ｂに開閉部１ｃを結合し、ガス管固定具５を締め付けて、ガス管７を開閉部１ｃに固定する。これにより、被検体Ｋとヘッドコイル１”とガス吸入マスク６とを一体化することが出来る。
【実施例４】
【００３４】
図１２は、実施例４に係るＭＲ用ヘッドコイル４０を示す斜視図である。
このＭＲ用ヘッドコイル４０は、実施例３に係るＭＲ用ヘッドコイル３０と基本的に同じ構成であるが、本体部１ｂと開閉部１ｃとがヒンジ１ｄで連結されている。
従って、実施例３のように開閉部１ｃを分離／結合する代わりに、開閉部１ｃをヒンジ１ｄで開／閉するようになっている。
【実施例５】
【００３５】
ガス管固定具５として、ベルトやマジックテープ（登録商標）を用いてもよい。
【産業上の利用可能性】
【００３６】
本発明のＭＲ用ヘッドコイルは、超偏極状態とした希ガスを被検体に吸入させて頭部のＭＲ撮影を行うのに利用できる。
【図面の簡単な説明】
【００３７】
【図１】実施例１にかかるＭＲ用ヘッドコイルを示す斜視図である。
【図２】二重同調コイルの構成を示す斜視図である。
【図３】実施例１に係るＭＲ用ヘッドコイルの使用前状態を示す説明図である。
【図４】実施例１に係るＭＲ用ヘッドコイルの使用中状態を示す説明図である。
【図５】実施例２にかかるＭＲ用ヘッドコイルを示す斜視図である。
【図６】実施例２に係るＭＲ用ヘッドコイルの使用前状態を示す説明図である。
【図７】実施例２に係るＭＲ用ヘッドコイルの使用中状態を示す説明図である。
【図８】実施例３にかかるＭＲ用ヘッドコイルを示す斜視図である。
【図９】実施例３にかかるＭＲ用ヘッドコイルの開閉部を分離した状態を示す斜視図である。
【図１０】実施例３に係るＭＲ用ヘッドコイルの使用前状態を示す説明図である。
【図１１】実施例３に係るＭＲ用ヘッドコイルの使用中状態を示す説明図である。
【図１２】実施例４にかかるＭＲ用ヘッドコイルを示す斜視図である。
【符号の説明】
【００３８】
１，１’，１”              ヘッドコイル
１ａ                        マスク退避スペース
１ｂ                        本体部
１ｃ                        開閉部
４                          ガス管挿通孔
５                          ガス管固定具
６                          ガス吸入マスク
７                          ガス管
１０，２０，３０，４０      ＭＲ用ヘッドコイル
【図１】
2006034310.tif 000003
【図２】
2006034310.tif 000004
【図３】
2006034310.tif 000005
【図４】
2006034310.tif 000006
【図５】
2006034310.tif 000007
【図６】
2006034310.tif 000008
【図７】
2006034310.tif 000009
【図８】
2006034310.tif 000010
【図９】
2006034310.tif 000011
【図１０】
2006034310.tif 000012
【図１１】
2006034310.tif 000013
【図１２】
2006034310.tif 000014